(57)【要約】【課題】地震等の外部圧力を受けても、鉄骨製母屋に取り付けられる吊りボルト懸架ブラケットが鉄骨製母屋から脱落することがなく、鉄骨製母屋に堅固に取り付けられる。【解決手段】吊りボルト懸架ブラケット５と鉄骨製母屋３との間に吊りボルト懸架ブラケット５の鉄骨製母屋３からの脱落を防止するための脱落防止ボルト１０を介在させ、脱落防止ボルト１０は、鉄骨製母屋３である山形鋼３Ａ或いは溝形鋼３Ｂの横片６の裏面側に沿って配設される２本の取付ボルト部８と、これに垂直に立ち上がり山形鋼３Ａ或いは溝形鋼３Ｂの縦片７の縦面７ａ側に配設される２本の規制ボルト部９と、両規制ボルト部９の立ち上がり端部を互いに二又状に一体に繋ぐ連結部９ａとからなり、２本の取付ボルト部８は吊りボルト懸架ブラケット５にナット１１止めによって取り付けられ、２本の規制ボルト部９は山形鋼３Ａ或いは溝形鋼３Ｂの前記縦片７の縦面７ａに当接されてなる。【選択図】図３
2018115428.tif 000002
【特許請求の範囲】
【請求項１】
屋根材の下部に配設される鉄骨製屋根骨枠に直交して鉄骨製母屋を固着し、この鉄骨製母屋に天井吊りボルトを懸架するための天井吊りボルト懸架ブラケットが取り付けられてなる天井吊りボルト懸架装置において、前記鉄骨製母屋は前記鉄骨製屋根骨枠に当接する横片とこれに垂直に立ち上がる縦片とを有する断面Ｌ状の山形鋼或いは断面コ字状の溝形鋼からなり、これらの鉄骨製母屋に前記天井吊りボルト懸架ブラケットを取り付けるに当って、該天井吊りボルト懸架ブラケットと鉄骨製母屋との間に天井吊りボルト懸架ブラケットが鉄骨製母屋から脱落するのを防止するための脱落防止ボルトを介在させ、該脱落防止ボルトは、前記山形鋼或いは前記溝形鋼の前記横片の下面側に沿って配設される２本の取付ボルト部と、これに垂直に立ち上がり前記山形鋼或いは溝形鋼の前記縦片の縦面側に沿って配設される２本の規制ボルト部と、両規制ボルト部の立ち上がり端部を互いに二又状に一体に繋ぐ連結部とからなり、２本の取付ボルト部は前記天井吊りボルト懸架ブラケットに夫々ナット止めによって取り付けられ、前記２本の規制ボルト部は前記山形鋼或いは溝形鋼の前記縦片の縦面に当接され、この状態で前記天井吊りボルト懸架ブラケットは前記脱落防止ボルトに規制されて鉄骨製母屋に取り付けられてなる天井吊りボルト懸架装置。
【請求項２】
前記天井吊りボルト懸架ブラケットは、上枠と縦枠と下枠と縦枠に対向する開口部とを備え、該開口部を鉄骨製母屋の前記横片に挿入し、上枠にねじ込む押圧ボルトの下端部と下枠にねじ込む天井吊りボルトの上端部とで前記横片を挟持するようなっている請求項１に記載の天井吊りボルト懸架装置。
【請求項３】
前記天井吊りボルト懸架ブラケットの前記下枠に前記開口部側にあって鉄骨製母屋の前記横片の下面に当接する直立枠を突設し、脱落防止ボルトの２本の取付ボルト部を前記直立枠と前記縦枠とに亙って貫挿することによって該２本の取付ボルト部を前記横片の下面側に沿って配設し、前記縦枠から突出する２本の取付ボルト部のねじ部に夫々ナットをねじ込むことによって脱落防止ボルトの２本の規制ボルト部は鉄骨製母屋の縦片に圧接して、天井吊りボルト懸架ブラケットは脱落防止ボルトによって鉄骨製母屋からの抜け出しが規制されてなる請求項１又は２に記載の天井吊りボルト懸架装置。
【請求項４】
天井吊りボルト懸架ブラケットの下枠に鉄骨製母屋の横片の裏面に面接触する一対のねじ止め片を突設し、該一対のねじ止め片は前記横片にドリルねじによって固着されてなる請求項１〜３の何れかに記載の天井吊りボルト懸架装置。
【請求項５】
屋根材の下部に配設される鉄骨製屋根骨枠に直交して鉄骨製母屋を固着し、この鉄骨製母屋に天井吊りボルト又は振れ止め用筋交い吊りボルトを懸架するための吊りボルト懸架ブラケットが取り付けられてなる天井吊りボルト等懸架装置において、前記鉄骨製母屋は前記鉄骨製屋根骨枠に当接する横片とこれに垂直に立ち上がる縦片とを有する断面Ｌ状の山形鋼或いは断面コ字状の溝形鋼からなり、これらの鉄骨製母屋に前記吊りボルト懸架ブラケットを取り付けるに当って、該吊りボルト懸架ブラケットと鉄骨製母屋との間に吊りボルト懸架ブラケットが鉄骨製母屋から脱落するのを防止するための脱落防止ボルトを介在させ、該脱落防止ボルトは、前記山形鋼或いは前記溝形鋼の前記横片の下面側に沿って配設される２本の取付ボルト部と、これに垂直に立ち上がり前記山形鋼或いは溝形鋼の前記縦片の縦面側に沿ってに配設される２本の規制ボルト部と、両規制ボルト部の立ち上がり端部を互いに二又状に一体に繋ぐ連結部とからなり、２本の取付ボルト部は前記吊りボルト懸架ブラケットに夫々ナット止めによって取り付けられ、前記２本の規制ボルト部は前記山形鋼或いは溝形鋼の前記縦片の縦面に当接され、この状態で前記吊りボルト懸架ブラケットは前記脱落防止ボルトに規制されて鉄骨製母屋に取り付けられてなる天井吊りボルト等懸架装置。
【請求項６】
前記吊りボルト懸架ブラケットは、上枠と縦枠と下枠と縦枠に対向する開口部とで断面横向きコ字状のブラケット本体を形成し、該開口部を鉄骨製母屋の前記横片に挿入し、上枠に前記横片の上面を押圧する押圧ボルトをねじ込み、該押圧ボルトによって前記吊りボルト懸架ブラケットは鉄骨製母屋の前記横片に押圧支持されてなる請求項５に記載の天井吊りボルト懸架装置。
【請求項７】
脱落防止ボルトの２本の取付ボルト部を前記下枠と前記縦枠とに亙って貫挿することによって該２本の取付ボルト部を前記横片の下面側に沿って配設し、前記縦枠から突出する２本の取付ボルト部のねじ部に夫々ナットをねじ込むことによって脱落防止ボルトの２本の規制ボルト部は鉄骨製母屋の縦片に圧接して、天井吊りボルト懸架ブラケットは脱落防止ボルトによって鉄骨製母屋からの抜け出しが規制されてなる請求項５又は６に記載の天井吊りボルト等懸架装置。
【請求項８】
前記吊りボルト懸架ブラケットの下枠は鉄骨製屋根骨枠の長手方向に円弧状に湾曲する円弧状湾曲状に形成されると共に、該円弧状湾曲下枠にその湾曲方向に開口する長孔が貫設され、該円弧状湾曲下枠の湾曲内面には該内面に沿って湾曲方向に摺動可能な板状湾曲ナットが設けられ、該板状湾曲ナットに天井吊りボルト又は振れ止め筋交い吊りボルトが前記長孔を貫通してねじ込まれてなる請求項５〜７の何れかに記載の天井吊りボルト等懸架装置。
【請求項９】
前記吊りボルト懸架ブラケットは、上枠と下枠との間に、下枠に一体形成された中間枠を備え、該中間枠を鉄骨製母屋の前記横片の下面側に当て付け、該中間枠から前記横片にねじ込むドリルねじによって、前記吊りボルト懸架ブラケットの円弧状湾曲下枠は鉄骨製母屋の横片に固着されるようになっている請求項５〜８の何れかに記載の天井吊りボルト等懸架装置。
【請求項１０】
前記円弧状湾曲下枠の湾曲外面に沿って板状湾曲座金が取り付けられ、前記天井吊りボルト又は振れ止め筋交い吊りボルトが、前記板状湾曲座金及び円弧状湾曲下枠に貫設した前記長孔を貫通して前記板状湾曲ナットにねじ込まれると共に、ロックナットが前記天井吊りボルト又は振れ止め筋交い吊りボルトにねじ込まれて該ロックナットが前記板状湾曲座金に圧接することによって前記天井吊りボルト又は振れ止め筋交い吊りボルトが所定の懸架方向に配設されてロックされてなる請求項５〜９の何れかに記載の天井吊りボルト等懸架装置。
【請求項１１】
前記振れ止め用筋交い吊りボルトは羽子板ボルトからなり、該羽子板ボルトの羽子板部に振れ止め用筋交いが固着され、該筋交いの下端部が野縁受けＵに固着具によって固着されてなる請求項５〜１０の何れかに記載の天井吊りボルト等懸架装置。
【請求項１２】
天井吊りボルトを懸架する前記吊りボルト懸架ブラケットが鉄骨製母屋に取り付けられると共に、該鉄骨製母屋とは別の鉄骨製母屋に羽子板ボルトを懸架する前記吊りボルト懸架ブラケットが取り付けられ、該羽子板ボルトに振れ止め用筋交いが固着されてなる請求項５〜１１の何れかに記載の天井吊りボルト等懸架装置。
【発明の詳細な説明】
【技術分野】
【０００１】
本発明は、屋根材の下部に配設される鉄骨製屋根骨枠に、これに直交して鉄骨製母屋が取り付けられ、該鉄骨製母屋に取り付けられる吊りボルト懸架ブラケットによって天井吊りボルト又は振れ止め用筋交い吊りボルトを取り付けるための天井吊りボルト等懸架装置に関する。
【背景技術】
【０００２】
従来の天井吊りボルト懸架装置としては、図１３に示すように、屋根材１の下部にその長手方向に配設される鉄骨製屋根骨枠２に直交して鉄骨製母屋３が取り付けられ、該鉄骨製母屋３に天井吊りボルト４を懸架するための吊りボルト懸架ブラケット３５が取り付けられ、該吊りボルト懸架ブラケット３５に天井吊りボルト４が懸架され、天井吊りボルト４の下端部はハンガーＨによって野縁受けＵが取り付けられ、該野縁受けＵにクリップＣによって野縁Ｎが取り付けられ、該野縁Ｎに天井材Ｔがビス止め或いは接着止めによって取り付けられるようになっている。
【０００３】
そして、建物に過大な地震等の外部圧力を受けて、吊りボルト懸架ブラケット３５が鉄骨製母屋３から脱落しないように、吊りボルト懸架ブラケット３５と鉄骨製母屋３との間に脱落防止ボルト３６を取り付け、該脱落防止ボルト３６に規制されて吊りボルト懸架ブラケット３５が鉄骨製母屋３から脱落しないように配慮されている。
【０００４】
この際、脱落防止ボルト３６を鉄骨製母屋３に取り付ける構造を、図１３のａに示す部分を矢印の方向に拡大して説明すると、脱落防止ボルト３６の先端部をＵ字状に折曲した引っ掛け部３６ａを形成し、これを鉄骨製母屋３に形成されている鍔部３ａに係止させて、脱落防止ボルト３６の他端部を吊りボルト懸架ブラケット３５にナット１１止めするようになっている。（なお、拡大図では、吊りボルト懸架ブラケット３５を省略して図示している。）
【０００５】
このように、脱落防止ボルト３６を鉄骨製母屋３に係止させるためには、鉄骨製母屋３には脱落防止ボルト３６に形成した引っ掛け部３６ａを引っ掛けて係止するための鍔部３ａが形成されていなければならない。
【０００６】
従来では、鉄骨製母屋３として、図示のようにＨ形鋼が用いられている場合には、脱落防止ボルト３６の引っ掛け部３６ａを引っ掛けるためのＴ字状鍔部３ａがＨ形鋼に存在し、脱落防止ボルト３６の引っ掛け部３６ａを該鍔部３ａに係止することによって吊りボルト懸架ブラケット３５の鉄骨製母屋３からの脱落を簡単な構造によって防止することができるが、鉄骨製母屋３の脱落防止ボルト３６の引っ掛け部３６ａを引っ掛ける鍔部３ａが存在しない型鋼、例えば図１に示すような断面Ｌ状の山形鋼３Ａや断面コ字状の溝形鋼３Ｂ（リップ付き溝形鋼を含む。）にはＨ形鋼のようなＴ字状鍔部が存在しないため、脱落防止ボルト３６を係止することができなかった。このため、従来では、脱落防止ボルト３６の端部を、図示しないが断面Ｌ状の山形鋼３Ａや断面コ字状の溝形鋼３Ｂの縦片７に沿って垂直状に上方に長く延長し、この延長した部分に引っ掛け部を形成し、この引っ掛け部を前記縦片７の上端部に引っ掛けることが考えられるが、しかし、断面Ｌ状の山形鋼３Ａや断面コ字状の溝形鋼３Ｂでは、その縦片７の長さが４００ｍｍを越えるものもあり、この長大な縦片７に合わせて脱落防止ボルト３６を製造することは不可能であり、従って、これら断面Ｌ状の山形鋼３Ａや断面コ字状の溝形鋼３Ｂからなる鉄骨製母屋３に脱落防止ボルト３６を取り付けることができなかった。そのため、地震等の大きな外部圧力を受けると、吊りボルト懸架ブラケット３５が鉄骨製母屋３から脱落する危険が多分にあった。
【発明の概要】
【発明が解決しようとする課題】
【０００７】
本発明は、屋根材１の下部に配設される鉄骨製屋根骨枠２に直交して鉄骨製母屋３を固着し、この鉄骨製母屋３に天井吊りボルト４又は振れ止め筋交い吊りボルトを懸架するための吊りボルト懸架ブラケット５が取り付けられてなる天井吊りボルト等懸架装置において、前記鉄骨製母屋３が前記鉄骨製屋根骨枠２に当接する横片６とこれに垂直に立ち上がる縦片７とからなる断面Ｌ状の山形鋼３Ａ或いは断面コ字状の溝形鋼３Ｂからなり、これらの型鋼からなる鉄骨製母屋３に前記吊りボルト懸架ブラケット５を取り付けるに当って、地震等の外部圧力を受けても、鉄骨製母屋３に取り付けられる吊りボルト懸架ブラケット５が鉄骨製母屋３から脱落することがなく、鉄骨製母屋３に堅固に取り付けられる天井吊りボルト懸架装置を提案することを課題とする。
【課題を解決するための手段】
【０００８】
上記課題を解決するための手段を、後述する実施形態の参照符号を付して説明すると、請求項１に係る天井吊りボルト懸架装置は、図１〜図６に示すように、屋根材１の下部に配設される鉄骨製屋根骨枠２（図２）に直交して鉄骨製母屋３を固着し、この鉄骨製母屋３に天井吊りボルト４を懸架するための天井吊りボルト懸架ブラケット５が取り付けられてなる天井吊りボルト懸架装置において、前記鉄骨製母屋３は前記鉄骨製屋根骨枠２に当接する横片６とこれに垂直に立ち上がる縦片７とを有する断面Ｌ状の山形鋼３Ａ或いは断面コ字状の溝形鋼３Ｂ（図１のａで示す山形鋼３Ａの部分を矢印の方向に取り出して山形鋼３Ａに換えて溝形鋼３Ｂを示す。）からなり、これらの鉄骨製母屋３に前記天井吊りボルト懸架ブラケット５を取り付けるに当って、該天井吊りボルト懸架ブラケット５と鉄骨製母屋３との間に天井吊りボルト懸架ブラケット５が鉄骨製母屋３から脱落するのを防止するための脱落防止ボルト１０（図１）を介在させ、該脱落防止ボルト１０は、前記山形鋼３Ａ或いは前記溝形鋼３Ｂの前記横片６の下面側に沿って配設される２本の取付ボルト部８と、これに垂直に立ち上がり前記山形鋼３Ａ或いは溝形鋼３Ｂの前記縦片７の縦面側に沿って配設される２本の規制ボルト部９と、両規制ボルト部９の立ち上がり端部を互いに二又状に一体に繋ぐ連結部９ａとからなり、２本の取付ボルト部８は前記天井吊りボルト懸架ブラケット５に夫々ナット１１止めによって取り付けられ、前記２本の規制ボルト部９は前記山形鋼３Ａ或いは溝形鋼３Ｂの前記縦片７の縦面７ａ（図３）に当接され、この状態で前記天井吊りボルト懸架ブラケット５は前記脱落防止ボルト１０に規制されて鉄骨製母屋３に取り付けられてなる構成からなるものである。
【０００９】
請求項２に係る発明は、図３に示すように、前記天井吊りボルト懸架ブラケット５は、上枠１２と縦枠１３と下枠１４と縦枠１３に対向する開口部１５とで断面横向きコ字状のブラケット本体５ａを形成し、該開口部１５を鉄骨製母屋３の前記横片６に挿入し、上枠１２にねじ込む押圧ボルト１６の下端部１６ａと下枠１４にねじ込む天井吊りボルト４の上端部４ａとで前記横片６を挟持するようになっている請求項１に記載の構成からなるものである。
【００１０】
請求項３に係る発明は、図３、図４及び図６に示すように、天井吊りボルト懸架ブラケット５の前記下枠１４に前記開口部１５側にあって鉄骨製母屋３の前記横片６の下面に当接する直立枠１７を突設し、脱落防止ボルト１０の２本の取付ボルト部８を前記直立枠１７と前記縦枠１３とに亙って貫挿することによって該２本の取付ボルト部８を前記横片６の下面側に沿って配設し、前記縦枠１３から突出する２本の取付ボルト部８のねじ部８ａに夫々ナット１１をねじ込むことによって、脱落防止ボルト１０の２本の規制ボルト部９が鉄骨製母屋３の縦片７に圧接して、天井吊りボルト懸架ブラケット５は脱落防止ボルト１０によって鉄骨製母屋３からの抜け出しが規制されてなる請求項１又は２に記載の構成からなるものである。
【００１１】
請求項４に係る発明は、図５及び図６に示すように、天井吊りボルト懸架ブラケット５の下枠１４に鉄骨製母屋３の横片６の下面に面接触する一対のねじ止め片１８を突設し、該一対のねじ止め片１８を前記横片６にねじ込むドリルねじ１９によって前記横片６に固着してなる請求項１〜３の何れかに記載の構成からなるものである。
【００１２】
請求項５に係る発明は、図１、図７〜図１２に示すように、屋根材１の下部に配設される鉄骨製屋根骨枠２に直交して鉄骨製母屋３を固着し、この鉄骨製母屋３に天井吊りボルト４又は振れ止め筋交い吊りボルト２３を懸架するための吊りボルト懸架ブラケット５Ａが取り付けられてなる天井吊りボルト等懸架装置において、前記鉄骨製母屋３は前記鉄骨製屋根骨枠２に当接する横片６とこれに垂直に立ち上がる縦片７とを有する断面Ｌ状の山形鋼３Ａ或いは断面コ字状の溝形鋼３Ｂ（図１のａで示す山形鋼３Ａの部分を矢印の方向に取り出して山形鋼３Ａに換えて溝形鋼３Ｂを示す。）からなり、これらの鉄骨製母屋３に天井吊りボルト４又は振れ止め筋交い吊りボルト２３を懸架するための吊りボルト懸架ブラケット５Ａを取り付けるに当って、該吊りボルト懸架ブラケット５Ａと鉄骨製母屋３との間に吊りボルト懸架ブラケット５Ａが鉄骨製母屋３から脱落するのを防止するための脱落防止ボルト１０を介在させ、該脱落防止ボルト１０は、前記山形鋼３Ａ或いは前記溝形鋼３Ｂの前記横片６の下面側に沿って配設される２本の取付ボルト部８と、これに垂直に立ち上がり前記山形鋼３Ａ或いは溝形鋼３Ｂの前記縦片７の縦面７ａ側に沿って配設される２本の規制ボルト部９と、両規制ボルト部９の立ち上がり端部を互いに二又状に一体に繋ぐ連結部９ａとからなり、２本の取付ボルト部８は前記吊りボルト懸架ブラケット５Ａに夫々ナット１１止めによって取り付けられ、前記２本の規制ボルト部９は前記山形鋼３Ａ或いは溝形鋼３Ｂの前記縦片７の縦面７ａに当接され、この状態で前記吊りボルト懸架ブラケット５Ａは前記脱落防止ボルト１０に規制されて鉄骨製母屋３に取り付けられてなる構成からなるものである。
【００１３】
請求項６に係る発明は、図８、図１１又は図１２に示すように、前記吊りボルト懸架ブラケット５Ａは、上枠１２と縦枠１３と下枠２０と縦枠１３に対向する開口部１５とで断面横向きコ字状のブラケット本体５ｂを形成し、該開口部１５を鉄骨製母屋３の前記横片６に挿入し、上枠１２に前記横片６の上面を押圧する押圧ボルト１６をねじ込み、該上枠１２からねじ込まれる押圧ボルト１６によって、前記吊りボルト懸架ブラケットは鉄骨製母屋の前記横片に押圧支持されてなる請求項５に記載の構成からなるものである。
【００１４】
請求項７に係る発明は、図８、図１１又は図１２に示すように、脱落防止ボルト１０の２本の取付ボルト部８を前記下枠２０と前記縦枠１３とに亙って貫挿することによって該２本の取付ボルト部８を鉄骨製母屋３の前記横片６の下面側に沿って配設し、吊りボルト懸架ブラケット５Ａの前記縦枠１３から突出する２本の取付ボルト部８のねじ部１８ａに夫々ナット１１をねじ込むことによって脱落防止ボルトの２本の規制ボルト部９は鉄骨製母屋３の縦片７に圧接して、吊りボルト懸架ブラケット５Ａは脱落防止ボルト１０によって鉄骨製母屋３からの抜け出しが規制されてなる請求項５又は６に記載の構成からなるものである。
【００１５】
請求項８に係る発明は、図８、図１１又は図１２に示すように、前記吊りボルト懸架ブラケット５Ａの下枠２０は鉄骨製屋根骨枠２の長手方向に円弧状に湾曲する円弧状湾曲状に形成されると共に、該円弧状湾曲下枠２０にその湾曲方向に開口する長孔２１が貫設され、該円弧状湾曲下枠２０の湾曲内面２０ａには該内面２０ａに沿って湾曲方向に摺動可能な板状湾曲ナット２２が設けられ、該板状湾曲ナット２２に天井吊りボルト４又は振れ止め筋交い吊りボルト２３が前記長孔２１を貫通してねじ込まれてなる請求項５〜７の何れかに記載の構成からなるものである。
【００１６】
請求項９に係る発明は、図８、図１１又は図１２に示すように、前記吊りボルト懸架ブラケット５Ａは、上枠１２と下枠２０との間に、下枠２０に一体形成された中間枠２０Ａを備え、該中間枠２０Ａを鉄骨製母屋３の前記横片６の下面側に当て付け、該中間枠２０Ａから前記横片６にねじ込むドリルねじ１６Ａによって、前記吊りボルト懸架ブラケット５Ａの円弧状湾曲下枠２０を鉄骨製母屋３の横片６に固着するようになっている請求項５〜８の何れかに記載の構成からなるものである。
【００１７】
請求項１０に係る発明は、図８、図１１又は図１２に示すように、前記円弧状湾曲下枠２０の湾曲外面２０ｂに沿って板状湾曲座金２６が取り付けられ、前記天井吊りボルト４又は振れ止め筋交い吊りボルト２３が、前記板状湾曲座金２６及び円弧状湾曲下枠２０に貫設した前記長孔２１を貫通して前記板状湾曲ナット２２にねじ込まれると共に、ロックナット２７が前記天井吊りボルト４又は振れ止め筋交い吊りボルト２３にねじ込まれて該ロックナット２７が前記板状湾曲座金２６に圧接することによって前記天井吊りボルト４又は振れ止め筋交い吊りボルト２３が所定の懸架方向に配設されてロックされてなる請求項５〜９の何れかに記載の構成からなるものである。
【００１８】
請求項１１に係る発明は、図１０及び図１２に示すように、前記振れ止め筋交い吊りボルト２３は羽子板ボルト２３からなり、該羽子板ボルト２３の羽子板部２３ａに振れ止め用筋交い２４が固着され、該筋交いの下端部２４ａが野縁受けＵに固着具２５によって固着されてなる請求項５〜１０の何れかに記載の構成からなるものである。
【００１９】
請求項１２に係る発明は、図１０に示すように、天井吊りボルト４を懸架する前記吊りボルト懸架ブラケット５Ａが鉄骨製屋根骨枠２に固着される鉄骨製母屋３に取り付けられると共に、前記鉄骨製屋根骨枠２の延長上又は別の鉄骨製屋根骨枠２に固着される別の鉄骨製母屋３に羽子板ボルト２３を懸架する前記吊りボルト懸架ブラケット５Ａが取り付けられ、該羽子板ボルト２３に振れ止め用筋交い２４が固着されてなる請求項５〜１１の何れかに記載の構成からなるものである。
【発明の効果】
【００２０】
請求項１に係る発明によれば、図２に示す断面Ｌ状の山形鋼３Ａ或いは断面コ字状の溝形鋼３Ｂからなる鉄骨製母屋３において、図１３に示すようなＨ型鋼からなる鉄骨製母屋３のように、脱落防止ボルト３６の引っ掛け部３６ａを引っ掛ける鍔部３ａが存在しなくても、図２及び図３に示すように、鉄骨製母屋３を形成する前記断面Ｌ状の山形鋼３Ａ或いは前記断面コ字状の溝形鋼３Ｂの前記鉄骨製母屋３は、前記鉄骨製屋根骨枠２に当接する横片６とこれに垂直に立ち上がる縦片７とを利用し、図１に良く示されるように、鉄骨製母屋３と天井吊りボルト懸架ブラケット５との間に前記横片６の下面側に沿って配設される２本の取付ボルト部８とこれに垂直に立ち上がり前記山形鋼３Ａ或いは溝形鋼３Ｂの前記縦片７の縦面側に沿って配設される２本の規制ボルト部９とからなる脱落防止ボルト１０を介在させ、２本の取付ボルト部８は前記天井吊りボルト懸架ブラケット５にナット１１止めによって取り付けられ、前記２本の規制ボルト部９が前記山形鋼３Ａ或いは溝形鋼３Ｂの前記縦片７の縦面７ａ（図３）に当接されることによって、前記天井吊りボルト懸架ブラケット５が鉄骨製母屋３から脱落方向に付勢されても、該天井吊りボルト懸架ブラケット５にナット１１止めされる前記脱落防止ボルト１０の前記２本の規制ボルト部９が鉄骨製母屋３の前記縦片７に当接して、天井吊りボルト懸架ブラケット５は、脱落防止ボルト１０に規制されて、地震等の外部圧力を受けるも、鉄骨製母屋３からの脱落を防止することができる。
【００２１】
しかも本発明にあっては、図１、図４又は図６に示すように、脱落防止ボルト１０の２本の規制ボルト部９の立ち上がり端部は連結部９ａによって互いに二又状に一体に繋がれてなるため、２本の規制ボルト部９が互いに補強し合って、外部からの振動等の圧力を受けても、鉄骨製母屋３である前記山形鋼３Ａ或いは溝形鋼３Ｂの前記縦片７の縦面７ａに対する当接規制状態を破壊することはなく、天井吊りボルト懸架ブラケット５を堅固に支持することができる。
【００２２】
これがもし、２本の規制ボルト部９の立ち上がり端部が互いに繋がれることなく独立しておれば、２本の規制ボルト部９を形成する各単独の規制ボルト部９が夫々独自に外部圧力に対抗しなければならず、これがために強大な外部圧力を受けると各単独の規制ボルト部９は外部圧力に負けて、鉄骨製母屋３である前記山形鋼３Ａ或いは溝形鋼３Ｂの前記縦片７の縦面７ａに対する当接規制状態が破壊され、横方向に倒壊したりして、脱落防止ボルトが鉄骨製母屋３から離反して天井吊りボルト懸架ブラケット５が鉄骨製母屋３から脱落する原因となることが予測される。
【００２３】
請求項２に係る発明によれば、図３に示すように、前記天井吊りボルト懸架ブラケット５は上枠１２と縦枠１３と下枠１４と縦枠１３に対向する開口部１５で断面横向きコ字状のブラケット本体５ａを形成し、該開口部１５を鉄骨製母屋３の前記横片６に挿入し、上枠１２にねじ込む押圧ボルト１６の下端部１６ａと下枠１４にねじ込む天井吊りボルト４の上端部４ａとで前記横片６を挟持するようになっているため、天井吊りボルト懸架ブラケット５の構造が簡単であると共に、押圧ボルト１６と天井吊りボルト４とのねじ込み作業だけで鉄骨製母屋３に取り付けることができるから、迅速容易に天井吊りボルト懸架ブラケット５を鉄骨製母屋３に取り付けることができる。
【００２４】
請求項３に係る発明によれば、図３及び図４に示すように、天井吊りボルト懸架ブラケット５の前記下枠１４に前記開口部１５側にあって鉄骨製母屋３の前記横片６の下面側に当接する直立枠１７を突設し、脱落防止ボルト１０の２本の取付ボルト部８を前記直立枠１７と前記縦枠１３とに亙って貫挿することによって該２本の取付ボルト部８は鉄骨製母屋３の横片６の下面側に沿って正確に配設され、前記縦枠１３から突出する２本の取付ボルト部８のねじ部８ａにナット１１をねじ込むことによって、脱落防止ボルト１０の２本の規制ボルト部９は鉄骨製母屋３の縦片７に強力に圧接され、吊りボルト懸架ブラケット５は脱落防止ボルト１０に規制されて地震等の過大な外部圧力に対しても鉄骨製母屋３から脱落することがない。
【００２５】
又、脱落防止ボルト１０は、その２本の規制ボルト部９を鉄骨製母屋３の縦片７に当て付けた状態で、天井吊りボルト懸架ブラケット５の前記直立枠１７と縦枠１３とにわたって脱落防止ボルト１０の２本の取付ボルト部８を貫挿し、且つナット１１止めするだけであるから、その取付操作が簡単でありながら、天井吊りボルト懸架ブラケット５を鉄骨製母屋３に強固に取り付けることができる。
【００２６】
請求項４に係る発明によれば、図５及び図６に示すように、天井吊りボルト懸架ブラケット５の下枠１４に鉄骨製母屋３の横片６の下面に面接触する一対のねじ止め片１８を突設し、該一対のねじ止め片１８を前記横片６にねじ込まれるドリルねじ１９によって前記横片６に固着してなるため、この面からも吊りボルト懸架ブラケット５を鉄骨製母屋３に強固に取り付けることができる。
【００２７】
請求項５に係る発明によれば、図１、図７〜図１２に示すように、図２に示す断面Ｌ状の山形鋼３Ａ或いは断面コ字状の溝形鋼３Ｂからなる鉄骨製母屋３において、図１３に示すようなＨ型鋼からなる鉄骨製母屋３のように、脱落防止ボルト３６の引っ掛け部３６ａを引っ掛ける鍔部３ａが存在しなくても、図２及び図３に示すように、鉄骨製母屋３を形成する前記断面Ｌ状の山形鋼３Ａ或いは前記断面コ字状の溝形鋼３Ｂの前記鉄骨製母屋３は前記鉄骨製屋根骨枠２に当接する横片６とこれに垂直に立ち上がる縦片７とを利用し、図１に示すように、鉄骨製母屋３と吊りボルト懸架ブラケット５Ａとの間に前記横片６の下面側に沿って配設される２本の取付ボルト部８とこれに垂直に立ち上がり前記山形鋼３Ａ或いは溝形鋼３Ｂの前記縦片７の縦面７ａ側に沿って配設される２本の規制ボルト部９とからなる脱落防止ボルト１０を介在させ、２本の取付ボルト部８は前記吊りボルト懸架ブラケット５Ａにナット１１止めによって取り付けられ、前記２本の規制ボルト部９が前記山形鋼３Ａ或いは溝形鋼３Ｂの前記縦片７の縦面７ａに当接されることによって、前記吊りボルト懸架ブラケット５Ａが鉄骨製母屋３から脱落方向に付勢されても、該吊りボルト懸架ブラケット５にナット１１止めされる前記脱落防止ボルト１０の前記２本の規制ボルト部９が鉄骨製母屋３の前記縦片７に当接して、吊りボルト懸架ブラケット５Ａは、脱落防止ボルト１０に規制されて、地震等の外部圧力を受けるも、鉄骨製母屋３からの脱落を防止することができる。
【００２８】
しかも本発明にあっては、図１又は図９に示すように、脱落防止ボルト１０の２本の規制ボルト部９の立ち上がり端部は連結部９ａによって互いに二又状に一体に繋がれてなるため、２本の規制ボルト部９が互いに補強し合って、外部からの振動等の圧力を受けても、鉄骨製母屋３である前記山形鋼３Ａ或いは溝形鋼３Ｂの前記縦片７の縦面に対する当接規制状態を破壊することはなく、吊りボルト懸架ブラケット５Ａを堅固に支持することができる。
【００２９】
請求項６に係る発明によれば、図８、図１１又は図１２に示すように、前記吊りボルト懸架ブラケット５Ａは、上枠１２と縦枠１３と下枠２０と縦枠１３に対向する開口部１５とで断面横向きコ字状のブラケット本体５ｂを形成し、該開口部１５を鉄骨製母屋３の前記横片６に挿入し、上枠１２にねじ込む押圧ボルト１６によって前記横片６の上面を押圧するようなっているため、上記押圧ボルト１６によって、吊りボルト懸架ブラケット５Ａは鉄骨製母屋３に押圧支持されることになるから、吊りボルト懸架ブラケット５Ａは鉄骨製母屋３に堅固に支持されることになる。
【００３０】
請求項７に係る発明は、図８、図１１又は図１２に示すように、脱落防止ボルト１０の２本の取付ボルト部８を前記下枠２０と前記縦枠１３とに亙って貫挿することによって該２本の取付ボルト部８を鉄骨製母屋３の前記横片６の下面側に沿って正確に配設され、前記縦枠１３から突出する２本の取付ボルト部８のねじ部８ａにナット１１をねじ込むことによって、脱落防止ボルト１０の２本の規制ボルト部９は鉄骨製母屋３の縦片７に強力に圧接され、吊りボルト懸架ブラケット５は脱落防止ボルト１０に規制されて地震等の過大な外部圧力に対しても鉄骨製母屋３から脱落することがない。
【００３１】
請求項８に係る発明は、図８、図１１又は図１２に示すように、前記吊りボルト懸架ブラケット５Ａの下枠２０は鉄骨製屋根骨枠２の長手方向に円弧状に湾曲する円弧状湾曲状に形成されると共に、該円弧状湾曲下枠２０にその湾曲方向に開口する長孔２１が貫設され、該円弧状湾曲下枠２０の湾曲内面２０ａには該内面２０ａに沿って湾曲方向に摺動可能な板状湾曲ナット２２が設けられ、該板状湾曲ナット２２に天井吊りボルト４又は振れ止め筋交い吊りボルト２３が前記長孔２１を貫通してねじ込まれてなるため、図８又は図１１に示すように、屋根材１の勾配に合わせて種々の勾配角度に傾斜して又は水平に配設される鉄骨製屋根骨枠２の傾斜角度に影響されることなく、これに直交して取り付けられる鉄骨製母屋３に吊りボルト懸架ブラケット５Ａを介して天井吊りボルト４を垂直状態に取り付けることができると共に、図１２に示すように、振れ止め筋交い吊りボルト２３を所定の傾斜方向に自在に取り付けることができる。
【００３２】
請求項９に係る発明は、図８、図１１又は図１２に示すように、前記吊りボルト懸架ブラケット５Ａは、上枠１２と下枠２０との間に、下枠２０に一体形成された中間枠２０Ａを備え、該中間枠２０Ａを鉄骨製母屋３の前記横片６の下面側に当て付け、該中間枠２０Ａから前記横片６にねじ込むドリルねじ１６Ａによって、前記吊りボルト懸架ブラケット５Ａの円弧状湾曲下枠２０を鉄骨製母屋３の横片６に固着するようになっているため、吊りボルト懸架ブラケット５Ａは、より一層堅固に鉄骨製母屋３に支持されることができる。特に、円弧状湾曲下枠２０には、重量のある天井材を支持する天井吊りボルト４又は振れ止め筋交い吊りボルト２３が懸架されるため、該円弧状湾曲片２０が垂れ下がり方向に変形する虞れがあるが、該円弧状湾曲片２０に一体の上記中間枠２０Ａがドリルねじ１６Ａによって前記横片６にねじ込まれることによって、円弧状湾曲片２０は中間枠２０に安定よく支持され、円弧状湾曲片２０の変形を確実に阻止することができる。
【００３３】
請求項１０に係る発明によれば、図８、図１１又は図１２に示すように、前記円弧状湾曲下枠２０の湾曲外面２０ｂに沿って板状湾曲座金２６が取り付けられ、前記天井吊りボルト４又は振れ止め筋交い吊りボルト２３が、前記板状湾曲座金２６及び円弧状湾曲片２０に貫設した前記長孔２１を貫通して前記板状湾曲ナット２２にねじ込まれると共に、ロックナット２７が前記天井吊りボルト４又は振れ止め筋交い吊りボルト２３にねじ込まれて該ロックナット２７が前記板状湾曲座金２６に圧接することによって前記天井吊りボルト４又は振れ止め筋交い吊りボルト２３が所定の懸架方向に配設されてロックされてなるため、天井吊りボルト４または振れ止め筋交い吊りボルト２３およびこれに固着される振れ止め筋交い２４は吊りボルト懸架ブラケット５Ａに堅固に懸架され、地震等の過大の外部圧力に対して充分な耐久性を発揮することができる。
【００３４】
請求項１１に係る発明によれば、図１０及び図１２に示すように、前記振れ止め筋交い吊りボルト２３は羽子板ボルト２３からなり、該羽子板ボルト２３の羽子板部２３ａに振れ止め用筋交い２４が固着され、該筋交いの下端部２４ａが野縁受けＵに固着具２５によって固着されてなるため、鉄骨製母屋３に取り付けられる吊りボルト懸架ブラケット５に懸架される天井吊りボルト４に取り付けられる天井材は、別の鉄骨製母屋３に取り付けられる吊りボルト懸架ブラケット５に懸架される振れ止め用筋交い２４にも支持されるため、地震等の過大な外部圧力を受けても、該振れ止め用筋交い２４の補強作用によって、天井材が天井吊りボルト４からの脱落を確実に防止することができる。
【００３５】
請求項１２に係る発明によれば、図１０に示すように、天井吊りボルト４を懸架する前記吊りボルト懸架ブラケット５Ａが鉄骨製母屋３に取り付けられると共に、これとは別の鉄骨製母屋３に羽子板ボルト２３を懸架する前記吊りボルト懸架ブラケット５Ａが取り付けられ、該羽子板ボルト２３に振れ止め用筋交い２４が固着されてなるため、同じ構造の前記吊りボルト懸架ブラケット５Ａによって、天井吊りボルト４と振れ止め用筋交い２４を懸架することができ、互換性を備えることになり、その懸架作業を能率的に行うことができる。
【図面の簡単な説明】
【００３６】
【図１】本発明の要部である脱落防止ボルトの斜視図である。
【図２】本発明に係る天井吊りボルト懸架装置の使用状態説明図である。なお、ｂで囲んだ鉄骨製母屋３である山形鋼３Ａを、矢印で示すように異なる形鋼である溝形鋼３Ｂに置き換えた構造を一部拡大図として図示する。
【図３】本発明の更なる要部の拡大断面正面図である。
【図４】図３のＡーＡ線断面図である。
【図５】図３のＢーＢ線断面図である。
【図６】同要部側面図である。
【図７】本発明の他の実施形態の使用状態説明図である。
【図８】同要部の拡大断面正面図である。
【図９】同要部側面図である。
【図１０】本発明の更に他の実施形態の使用状態説明図である。
【図１１】図１０のｃで囲んだ部分の拡大断面図である。
【図１２】図１０のｄで囲んだ部分の拡大断面図である。
【図１３】従来例の使用状態説明である。
【発明を実施するための形態】
【００３７】
以下に本発明の好適な実施形態を図面に基づいて説明すると、本発明の第１実施形態は、図２に示すように、鉄骨製屋根骨枠２に直交して取り付けられた鉄骨製母屋３に吊りボルト懸架ブラケット５を取り付け、これに天井吊りボルト４を懸架するようにした天井吊りボルト懸架装置に関する。
【００３８】
鉄骨製母屋３は、図１３に示すようなＨ形鋼からなる場合もあるが、本発明の対象とする鉄骨製母屋３は、図１に示すように断面Ｌ状の山形鋼３Ａ或いは矢印で取り出して図示するように断面コ字状の溝形鋼３Ｂである。
【００３９】
従来では、鉄骨製母屋３として、従来技術の項で説明したように、図１３に図示のようにＨ形鋼が用いられている場合には、脱落防止ボルト３６の引っ掛け部３６ａを引っ掛けるためのＴ字状鍔部３ａがＨ形鋼に存在し、脱落防止ボルト３６の引っ掛け部３６ａを該鍔部３ａに係止することによって吊りボルト懸架ブラケット３５の鉄骨製母屋３からの脱落を簡単な構造によって防止することができるが、鉄骨製母屋３に脱落防止ボルト３６の引っ掛け部３６ａを引っ掛ける鍔部３ａが存在しない型鋼、例えば図２に示すような断面Ｌ状の山形鋼３Ａや断面コ字状の溝形鋼３ＢにはＨ形鋼のようなＴ字状鍔部が存在しないため、従前の脱落防止ボルト３６を係止することができなかった。
【００４０】
本発明に係る天井吊りボルト懸架装置では、鉄骨製母屋３として、上記の脱落防止ボルト３６の引っ掛け部３６ａを係止する該鍔部３ａを有しない断面Ｌ状の山形鋼３Ａ或いは図１でｂで囲まれた部分を矢印方向に取り出して山形鋼３Ａに換えて図示する断面コ字状の溝形鋼３Ｂ（リップ付きの溝形鋼を含む。）を対象とするものであり、正確には、前記鉄骨製屋根骨枠２に当接する横片６とこれに垂直に立ち上がる縦片７とを有してなる重量型鋼からなる鉄骨製母屋３を対象とするものである。
【００４１】
図２以下では、主に、断面Ｌ状の山形鋼３Ａからなる鉄骨製母屋３に基づいて説明するが、当然に断面コ字状の溝形鋼３Ｂにも適用することができる。
【００４２】
先ず、本発明の特徴とする構成を強調すれば、図１に示す脱落防止ボルト１０を、図２〜図６に示す第１実施形態、並びに図７〜図１２に示す第２実施形態の全てに適用し、天井吊りボルト懸架ブラケット５（図２〜図６）並びに吊りボルト懸架ブラケット５Ａ（図７〜図１２）と鉄骨製母屋３（山形鋼３Ａ、溝形鋼３Ｂ）との間に天井吊りボルト懸架ブラケット５又は吊りボルト懸架ブラケット５Ａが鉄骨製母屋３から脱落するのを防止するための脱落防止ボルト１０を介在させることである。脱落防止ボルト１０としては、一例を挙げれば直径約６ｍｍ程度の鋼材を曲げ加工によって形成されるものである。
【００４３】
屋根下地や屋根ボード等からなる屋根材１は、図示のように水平状のものもあるが、一般には種々の勾配角度に形成されており、この屋根材１の傾斜角度に合わせて傾斜して高所から低部に向かって桁材としてＨ形鋼からなる鉄骨製屋根骨枠２が配設されており、この鉄骨製屋根骨枠２の上面に直交して水平材である鉄骨製母屋３が従来技術と同じように適当な止着具（図示せず。）によって固着されている。この鉄骨製母屋３に天井吊りボルト４を懸架するための天井吊りボルト懸架ブラケット５が取り付けられ、これに天井吊りボルト４が懸架され、天井吊りボルト４の下端部は、従来周知のように、ハンガーＨによって野縁受けＵが取り付けられ、該野縁受けＵにクリップＣによって野縁Ｎが取り付けられ、該野縁Ｎに天井材Ｔがビス止め或いは接着止めによって取り付けられるようになっている。
【００４４】
脱落防止ボルト１０は、図１又は図２及び図３にも良く示されているように、鉄骨製母屋３である前記山形鋼３Ａ或いは図示しない前記溝形鋼３Ｂ（図２に図示されている。）の前記横片６の裏面側に沿って配設される２本の取付ボルト部８と、これに垂直に立ち上がり前記山形鋼３Ａ或いは溝形鋼３Ｂの前記縦片７の裏面側に配設される２本の規制ボルト部９と、図１又は図６にも良く示されているように、両規制ボルト部９の立ち上がり端部を互いに二又状に一体に繋ぐ下向きＵ字状の連結部９ａとからなり、２本の取付ボルト部８は前記吊りボルト懸架ブラケット５に夫々ナット１１止めによって取り付けられ、前記２本の規制ボルト部９は前記山形鋼３Ａ或いは溝形鋼３Ｂの前記縦片７の縦面７ａに当接され、後述のように、前記吊りボルト懸架ブラケット５が鉄骨製母屋３から脱落方向に付勢されても、該吊りボルト懸架ブラケット５にナット１１止めされる前記脱落防止ボルト１０の前記２本の規制ボルト部９が鉄骨製母屋３の前記縦片７に当接されて、吊りボルト懸架ブラケット５は、脱落防止ボルト１０に堅固に規制されて、地震等の外部圧力を受けるも、鉄骨製母屋３からの脱落を防止することができる。なお、ナット１１の締め付け面には座金１１ａを設けるが、この座金１１ａは、図示のようにナット１１に一体形成された座金１１ａ付きのなナット１１を採用することが能率上好ましい。
【００４５】
しかも本発明にあっては、図１又は図６に示すように、脱落防止ボルト１０の２本の規制ボルト部９の立ち上がり端部は下向きＵ字状の連結部９ａによって互いに二又状に一体に繋がれてなるため、２本の規制ボルト部９が互いに補強し合って、外部からの振動等の圧力を受けても、鉄骨製母屋３である前記山形鋼３Ａ或いは溝形鋼３Ｂの前記縦片７の裏面に対する当接規制状態を破壊することはなく、天井吊りボルト懸架ブラケット５を堅固に支持することができる。
【００４６】
そして、図３に示すように、前記天井吊りボルト懸架ブラケット５は上枠１２と縦枠１３と下枠１４と縦枠１３に対向する開口部１５で断面横向きコ字状のブラケット本体５ａを形成し、該ブラケット本体５ａの前記開口部１５を鉄骨製母屋３の前記横片６に挿入し、上枠１２に下向きにねじ込む押圧ボルト１６の下端部１６ａと下枠１４に上向きにねじ込む天井吊りボルト４の上端部４ａとで前記横片６を挟持するようなっているため、天井吊りボルト懸架ブラケット５の構造が簡単であると共に、押圧ボルト１６と天井吊りボルト４とのねじ込み作業だけで鉄骨製母屋３に取り付けることができるから、迅速容易に天井吊りボルト懸架ブラケット５を鉄骨製母屋３に取り付けることができる。
【００４７】
又、図３及び図４に示すように、天井吊りボルト懸架ブラケット５の前記下枠１４に前記開口部１５側にあって鉄骨製母屋３の前記横片６の裏面側に当接する直立枠１７を突設し、脱落防止ボルト１０の２本の取付ボルト部８を、前記直立枠１７に設けた貫通孔１７ａ（図４）と前記縦枠１３に設けた貫通孔１３ａ（図４）とに亙って貫挿することによって該２本の取付ボルト部８は鉄骨製母屋３の横片６の下面側に正確に配設され、前記縦枠１３から突出する２本の取付ボルト部８のねじ部８ａに座金１１ａ付きのナット１１をねじ込み、取付ボルト部８を縦枠１３側に引き寄せ力を働かせることによって、脱落防止ボルト１０の２本の規制ボルト部９は鉄骨製母屋３の縦片７に強力に圧接支持され、吊りボルト懸架ブラケット５は前記２本の脱落防止ボルト１０に規制保持されて地震等の過大な外部圧力に対しても鉄骨製母屋３から脱落することがない。
【００４８】
又、図５及び図６に示すように、吊りボルト懸架ブラケット５の下枠１４に、鉄骨製母屋３の横片６の裏面に面接触する一対のねじ止め片１８を突設し、該一対のねじ止め片１８を前記横片６に周知の駆動ドリルソケットを用いてねじ込まれるドリルねじ１９によって前記横片６に固着するようにすれば、この面からも天井吊りボルト懸架ブラケット５を鉄骨製母屋３に強固に取り付けることができる。
【００４９】
図７以下は、本発明の第２実施形態を示すもので、屋根材１の下部の鉄骨製屋根骨枠２が屋根材１に合わせて種々の勾配角度に配設されても、鉄骨製屋根骨枠２に取り付けられる吊りボルト懸架ブラケット５Ａによって天井吊りボルト４又は振れ止め筋交い吊りボルト２３（図１０）を常に垂直に又は所定の傾斜角度に懸架し、天井吊りボルト４の下端部に取り付けたハンガーＨ、クリップＣ、野縁受けＵ及び野縁Ｎを介して、天井材Ｔを水平に取り付けることができる第２実施形態を示すものである。
【００５０】
図７の要部を拡大して示す図８に示すように、更に図１１又は図１２にも示すように、この実施態様では、吊りボルト懸架ブラケット５Ａの下部の下枠１４が鉄骨製屋根骨枠２の長手方向に円弧状に湾曲する円弧状湾曲下枠２０に一体形成されると共に、該円弧状湾曲下枠２０にはその湾曲方向に開口する長孔２１が貫設され、該円弧状湾曲下枠２０の湾曲内面２０ａには該内面２０ａに沿って湾曲方向に摺動可能な板状湾曲ナット２２が設けられ、該板状湾曲ナット２２に天井吊りボルト４が前記長孔２１を貫通してねじ込まれるようになっている。このため、屋根材１の種々の勾配角度に傾斜して配設される鉄骨製屋根骨枠２の傾斜角度に影響されることなく、これに直交して取り付けられる鉄骨製母屋３に吊りボルト懸架ブラケット５を介して天井吊りボルト４を矢印で示すように左右に自由に変移することができるから結果的に天井吊りボルト４を垂直状態に取り付けることができる。なお、前記板状湾曲ナット２２は、図示のように板状に形成されているか、この板状湾曲ナット２２は、前記円弧状湾曲下枠２０の湾曲内面２０ａに沿って湾曲方向に摺動可能な摺動面２２ａを有する肉厚のナットも含まれるものである。
【００５１】
更に、前記吊りボルト懸架ブラケット５Ａは、上枠１２と下枠２０との間に、下枠２０に一体形成された中間枠２０Ａを備え、該中間枠２０Ａを鉄骨製母屋３の前記横片６の下面側に当て付け、該中間枠２０Ａから前記横片６にねじ込むドリルねじ１６Ａによって前記吊りボルト懸架ブラケット５Ａの円弧状湾曲下枠２０を鉄骨製母屋３の横片６に固着するようになっており、且つ押圧ボルト１６によって、吊りボルト懸架ブラケット５Ａは鉄骨製母屋３に押圧支持されるようになっている。このため、前記吊りボルト懸架ブラケット５Ａは、上記中間枠２０Ａによって、吊りボルト懸架ブラケット５Ａは、より一層堅固に鉄骨製母屋３に支持される。特に、円弧状湾曲下枠２０には、重量のある天井材を支持する天井吊りボルト４又は振れ止め筋交い吊りボルト２３が懸架されるため、該円弧状湾曲片２０が垂れ下がり方向に変形する虞れがあるが、該円弧状湾曲片２０に一体の上記中間枠２０Ａが前記横片６に固着されることによって、円弧状湾曲片２０は中間枠２０に安定よく支持され、円弧状湾曲片２０の変形を確実に阻止することができる。なお吊りボルト懸架ブラケット５Ａの前記縦枠１３には係止孔１３ａが貫設され、この係止孔１３ａに前記中間枠２０Ａの先端部２０Ａａを係嵌させることによって吊りボルト懸架ブラケット５Ａの前記縦枠１３も支持することができる。
【００５２】
なお、この実施形態にあっても、脱落防止ボルト１０の２本の取付ボルト部８を前記下枠１４と前記縦枠１３とに亙って貫挿することによって該２本の取付ボルト部８は鉄骨製母屋３の横片６の下面側に正確に配設され、前記縦枠１３から突出する２本の取付ボルト部８のねじ部８ａにナット１１をねじ込むことによって、脱落防止ボルト１０の２本の規制ボルト部９は鉄骨製母屋３の縦片７に強力に圧接支持され、吊りボルト懸架ブラケット５は前記２本の脱落防止ボルト１０に保持されて地震等の過大な外部圧力に対しても鉄骨製母屋３から脱落することがない。
【００５３】
なお又、図９に示すように、脱落防止ボルト１０の２本の規制ボルト部９の立ち上がり端部は下向きＵ字状の連結部９ａによって互いに二又状に一体に繋がれてなるため、２本の規制ボルト部９が互いに補強し合っていることは前記実施形態と同じである。更に、図９に示すように、吊りボルト懸架ブラケット５の下枠１４に鉄骨製母屋３の横片６の裏面に面接触する一対のねじ止め片１８を突設し、該一対のねじ止め片１８を前記横片６に駆動ドリルを用いてねじ込まれるドリルねじ１９によって前記横片６に固着するようにすれば、この面からも吊りボルト懸架ブラケット５を鉄骨製母屋３に強固に取り付けることができることは前記実施形態と同じである。
【００５４】
更に又、図８及び図１１に示すように、前記円弧状湾曲下枠２０の湾曲外面２０ｂに沿って板状湾曲座金２６取り付けられ、前記天井吊りボルト４が、前記板状湾曲座金２６及び円弧状湾曲片２０に貫設した前記長孔２１を貫通して前記板状湾曲ナット２２にねじ込まれると共に、ロックナット２７が前記天井吊りボルト４にねじ込まれて該ロックナット２７が前記板状湾曲座金２６に圧接することによって前記天井吊りボルト４が所定の懸架方向に配設されてロックされることになる。このため、天井吊りボルト４は吊りボルト懸架ブラケット５に堅固に懸架され、地震等の過大の外部圧力に対して充分な耐久性を発揮することができる。なお、前記板状湾曲座金２６を圧接するロックナット２７の座金圧接面２６ａは図示のように平坦面に形成されることが好ましく、これによってロックナット２７は板状湾曲座金２６に面接触によってできるだけ均一に板状湾曲座金２６を圧接ロックされ天井吊りボルト４を安定よく懸架することができる。
【００５５】
図１０は、更に本発明の他の実施形態を示すもので、水平状態にある鉄骨製屋根骨枠２に取り付けられた鉄骨製母屋３に吊りボルト懸架ブラケット５Ａが取り付けられ、図１０のＣで囲まれた部分を拡大して、図１１に示すように、これに天井吊りボルト４が垂直に懸架されている。この図１１にあっては、水平状態の鉄骨製母屋３に同じく水平に取り付けられた吊りボルト懸架ブラケット５Ａに天井吊りボルト４を垂直に懸架する実施形態であるが、図８に示す実施形態にあっては、傾斜状態にある鉄骨製屋根骨枠２に取り付けられた傾斜状態の鉄骨製母屋３に傾斜状態に取り付けられた吊りボルト懸架ブラケット５Ａに天井吊りボルト４が垂直に懸架されている。
【００５６】
又、この実施形態にあって、図１０に示すように、吊りボルト懸架ブラケット５Ａによって天井吊りボルト４を垂直に懸架するために取り付けられる吊りボルト懸架ブラケット５Ａとは別に、該鉄骨製母屋３に隣り合って配設させれる別の鉄骨製母屋３に吊りボルト懸架ブラケット５を取り付けられている。そして、図１０のｄで囲まれた部分の拡大断面図である図１２に示すように、該吊りボルト懸架ブラケット５の前記円弧状湾曲下枠２０の湾曲内面２０ａに沿って湾曲方向に摺動可能に設けられる前記板状湾曲ナット２２に羽子板ボルト２３が前記長孔２１を貫通してねじ込まれて、該羽子板ボルト２３にその羽子板部２３ａをボルト等の固定具２５によってチャッネル鋼板からなる振れ止め用筋交い２４が取り付けられ、図１０に示すように、該筋交いの下端部２４ａが野縁受けＵに固着具２５によって固着されてなるものである。このため、鉄骨製母屋３に取り付けられる吊りボルト懸架ブラケット５に懸架される天井吊りボルト４に取りけられる天井材Ｔは、隣り合って配設される別の鉄骨製母屋３に取り付けられる吊りボルト懸架ブラケット５に懸架される振れ止め用筋交い２４によっても支持されるため、地震等の過大な外部圧力を受けても、天井材Ｔの吊りボルト懸架ブラケット５からの脱落を確実に防止することができる。
【００５７】
更に、図１２に示す実施形態にあっても、前記円弧状湾曲下枠２０の湾曲外面２０ｂに沿って板状湾曲座金２６が取り付けられ、前記羽子板ボルト２３が、板状湾曲座金２６及び円弧状湾曲下枠２０に貫設した前記長孔２１を貫通して前記板状湾曲ナット２２にねじ込まれると共に、ロックナット２７が前記羽子板ボルト２３にねじ込まれて該ロックナット２７が前記板状湾曲座金２６に圧接することによって前記羽子板ボルト２３及びこれに連結されるチャッネル鋼板からなる振れ止め用筋交い２４が所定傾斜方向に配設されてロックされてなるため、吊りボルト懸架ブラケット５に取り付けられる天井材Ｔは、振れ止め用筋交い２４に保持されて、地震等の過大の外部圧力に対して充分な耐久性を発揮することができる。なおこの実施形態にあっても、図１２に示すように、脱落防止ボルト１０が、これまでに説明した同じ構造によって吊りボルト懸架ブラケット５の脱落防止作用を担っている。各構成要素に前記実施形態と同じ符号を付すことによってその説明を省略する。
【符号の説明】
【００５８】
１      屋根材
２      鉄骨製屋根骨枠
３      鉄骨製母屋
３Ａ    山形鋼
３Ｂ    溝形鋼
４      天井吊りボルト
４ａ    天井吊りボルトの上端部
５      天井吊りボルト懸架ブラケット
５Ａ    吊りボルト懸架ブラケット
６      横片
７      縦片
８      取付ボルト部
９      規制ボルト部
９ａ    連結部
１０    脱落防止ボルト
１０ａ  ねじ部
１１    ナット
１２    上枠
１３    縦枠
１４    下枠
１５    開口部
１５ａ  ブラケット本体
１５ｂ  ブラケット本体
１６    押圧ボルト
１６ａ  押圧ボルトの下端部
１６Ａ  ドリルねじ
１７    直立枠
１８    ねじ止め片
１９    ドリルねじ
２０    円弧状湾曲下枠
２０Ａ  中間枠
２０ｂ  湾曲外面
２１    長孔
２２    板状湾曲ナット
２３    羽子板ボルト（振れ止め筋交い吊りボルト）
２４    振れ止め用筋交い
２５    固定具
２６    板状湾曲座金
２７    ロックナット
【図１】
2018115428.tif 000003
【図２】
2018115428.tif 000004
【図３】
2018115428.tif 000005
【図４】
2018115428.tif 000006
【図５】
2018115428.tif 000007
【図６】
2018115428.tif 000008
【図７】
2018115428.tif 000009
【図８】
2018115428.tif 000010
【図９】
2018115428.tif 000011
【図１０】
2018115428.tif 000012
【図１１】
2018115428.tif 000013
【図１２】
2018115428.tif 000014
【図１３】
2018115428.tif 000015